(57)【要約】【課題】トレイの任意の位置に仕切部材を位置決め固定できる仕切部材位置決め機構を提供する。【解決手段】仕切部材３に、仕切部材本体１１と、仕切部材本体１１の側方から外方側へ突出する翼片１２と、翼片１２を外方側へ付勢する弾性体１３とを備える。弾性体１３により翼片１２をトレイ１の側壁７の内面に圧接する。仕切部材３が左右方向に挟圧される。仕切部材３の上方への抜け出しを防止する規制片８をトレイ１の側壁７の上端から内方に突出させる。規制片７とトレイ１の底面９との間で、仕切部材３の翼片１２を上下に挟圧する。仕切部材３を左右方向及び上下方向に挟圧するため、強固に固定することができる。【選択図】　図１
2004089255.tif 000002
【特許請求の範囲】
【請求項１】
トレイに仕切部材を位置決め固定するための仕切部材位置決め機構であって、前記仕切部材の上方への抜け出しを防止する規制片がトレイの側壁上部から内方に突出され、前記規制片とトレイ底面との間に、前記仕切部材が挟圧保持されたことを特徴とする仕切部材位置決め機構。
【請求項２】
前記仕切部材の底面に、トレイ底面との摩擦によりそのスライドを規制する滑り止めが設けられたことを特徴とする請求項１記載の仕切部材位置決め機構。
【請求項３】
前記規制片は、トレイの長さ方向に沿って連続して形成されたことを特徴とする請求項１記載の仕切部材位置決め機構。
【請求項４】
トレイに仕切部材を位置決め固定するための仕切部材位置決め機構であって、前記仕切部材は、本体と、該本体の側方から外方側へ突出する翼片と、該翼片を外方側へ付勢する弾性体とを備え、前記弾性体により、前記翼片をトレイ側壁内面に圧接するようにしたことを特徴とする仕切部材位置決め機構。
【請求項５】
前記トレイの側壁内面のほぼ中央に、長さ方向に沿って仕切部材係止用の突条が突出形成され、前記仕切部材の翼片の外面に、前記突条に係合する係合凹部が形成されたことを特徴とする請求項４記載の仕切部材位置決め機構。
【請求項６】
請求項４記載の仕切部材位置決め機構において、前記仕切部材の上方への抜け出しを防止する規制片がトレイの側壁上部から内方に突出され、該規制片とトレイ底面との間に、前記仕切部材の翼片が挟圧保持されたことを特徴とする仕切部材位置決め機構。
【請求項７】
前記規制片は、トレイの側壁上端から内方に向けて形成されたことを特徴とする請求項６記載の仕切部材位置決め機構。
【請求項８】
前記弾性体は、翼片から内方に向かって突出する少なくとも上下２個の略横Ｓ字形ばね材から構成され、前記ばね材は、合成樹脂により、前記翼片と一体形成されたことを特徴とする請求項４記載の仕切部材位置決め機構。
【発明の詳細な説明】
【０００１】
【発明の属する技術分野】
本発明は、例えば家具の抽斗に内装されるトレイに、その収納部を仕切る仕切部材を位置決め固定するための仕切部材位置決め機構に関するものである。
【０００２】
【従来の技術】
一般に、家具等の抽斗に内装されるトレイは、その収納部を仕切部材で仕切って、ナイフやホーク、スプーン等を収納するようになっている。このトレイの側壁内面には、複数のリブや穴等が所定の間隔をあけて形成され、そのうち所望の位置のリブや穴等を利用することにより、仕切部材を位置決め固定するようになっている。
【０００３】
【発明が解決しようとする課題】
ところが、仕切部材の位置決め固定にトレイのリブや穴等を利用する場合、仕切り部材の位置調節としては、あらかじめ形成された複数のリブや穴等のうちのいずれかを選択するだけであり、仕切部材の微妙な位置調節ができない。また、トレイの側壁内面に、仕切部材の位置決め固定に利用されないリブや穴等が残り、トレイの収納部の見栄えが悪くなる。
【０００４】
本発明は、トレイの側壁内面にリブや穴等を形成することなく、収納部の任意の位置に仕切部材を位置決め固定することができる仕切部材位置決め機構を提供することを目的とする。
【０００５】
【課題を解決するための手段】
上記課題に鑑み、本発明は、トレイに仕切部材を位置決め固定することを前提として、トレイの側壁内面にリブや穴等を形成することなく、収納部の任意の位置に仕切部材を位置決め固定することができる仕切部材位置決め機構を提供するものである。
【０００６】
仕切部材の上方への抜け出しを防止する規制片をトレイの側壁上部から内方に突出させ、この規制片とトレイ底面との間に、仕切部材を挟圧保持すれば、トレイに仕切り部材を強固に固定することができる。つまり、仕切部材をトレイの両側壁だけで挟圧保持しようとすると、トレイ上面の開口により両側壁が側方に拡がりやすいため、仕切部材を強固に固定することができないが、上下方向に挟圧保持することにより、より強固に固定することができる。
【０００７】
仕切部材の底面に、トレイ底面との摩擦によりそのスライドを規制する滑り止めを設ければ、仕切部材の位置ずれを阻止することができる。トレイの側壁上部の規制片をトレイの長さ方向に沿って連続して形成すれば、仕切部材を収納部の任意の位置に位置決め固定することができ、トレイ内の見栄えもよくなる。
【０００８】
仕切部材を、本体と、この本体の側方から外方側へ突出する翼片と、この翼片を外方側へ付勢する弾性体とを備えた構成として、その弾性体により翼片をトレイ側壁内面に圧接するようにすれば、トレイ側壁が側方に拡がった分だけ弾性体が翼壁を押し出して、仕切部材を固定することができる。また、弾性体の付勢力に抗して翼片を押し込むことにより、仕切部材の着脱も自由である。
【０００９】
トレイの側壁内面のほぼ中央に、長さ方向に沿って仕切部材係止用の突条を突出形成し、仕切部材の翼片の外面に、突条に係合する係合凹部を形成すれば、突条及び係合凹部により、仕切部材の上下の移動や抜け出しを規制することができる。
【００１０】
仕切部材の上方への抜け出しを防止する規制片をトレイの側壁上部から内方に突出させ、この規制片とトレイ底面との間に、仕切部材の翼片を挟圧保持してもよい。規制片をトレイの側壁上端から内方に向けて形成すれば、トレイの見栄えをよくすることができる。少なくとも上下２個の略横Ｓ字形ばね材を翼片から内方に向かって突出させて弾性体を構成し、合成樹脂により、ばね材と翼片とを一体形成すれば、仕切部材を構成する部品点数を少なくすることができる。
【００１１】
【発明の実施の形態】
以下、本発明に係る仕切部材位置決め機構の実施の形態について、図面を用いて説明する。図１は仕切部材を固定したトレイの斜視図、図２は仕切部材の前面図である。
【００１２】
この仕切部材位置決め機構は、例えば家具の抽斗に内装されるトレイ１に、その収納部２を長さ方向（前後方向）に仕切る仕切部材３を位置決め固定するためのものであり、仕切部材３を任意の位置で固定し、仕切部材３の微妙な位置調節が可能なように、収納部２を取り囲む壁面で仕切部材３を上下方向及び左右方向に挟圧保持するものである。
【００１３】
トレイ１は、例えば耐薬品性に優れたＡＢＳ等の合成樹脂を押し出し成形してなるＵ字形部材４の前後端に、前板５及び後板６を超音波溶着することにより、その長さ方向に一定の断面形状で、上面に開口を有する形状に形成される。収納部２は、Ｕ字形部材４、前板５、後板６及び上面の開口で取り囲まれる空間とされ、この収納部２にナイフやホーク、スプーン等を収納するようになっている。
【００１４】
Ｕ字形部材４の側壁７の上端には、仕切部材３の上方への抜け出しを防止する規制片８が、トレイ１の長さ方向に沿って連続して内方に突出され、規制片８とトレイ１の底面９との間に、仕切部材３を上下方向に挟圧保持するようになっている。側壁７の内面のほぼ中央には、仕切部材３を係止するための突条１０が長さ方向に沿って連続して突出形成され、仕切部材３の上下方向の移動を規制している。
【００１５】
仕切部材３は、仕切部材本体１１と、この仕切部材本体１１の両側方から外方側（左右）へ突出する二つの翼片１２と、各翼片１２を外方側へ付勢する弾性体１３とを備えている。この仕切部材３は、その弾性体１３が翼片１２をトレイ１の側壁７の内面に圧接させるようになっており、両側壁７間に仕切部材３が左右方向に挟圧保持される。
【００１６】
仕切部材本体１１は、内面に翼片収納凹部が形成された一対の板状部材をその凹部を内側にして互いに張り合わせることにより、断面中空の板状に形成され、その側面に翼片１２を左右外方へ突出させるための開口が形成されている。この仕切部材本体１１の内部には、略横コ字形のストッパ１５が固定され、翼片１２を左右に案内すると共に、その移動量を制限している。
【００１７】
翼片１２は、仕切部材本体１１の内部にスライド自在に内装されたスライド部１４と、トレイ１の側壁７の内面に圧接される圧接片１７とからなる。このうち、スライド部１４は、仕切部材本体１１の内部に挿入できるだけの大きさの板状とされ、その側端が仕切部材本体１１の開口から外方側に突出している。
【００１８】
スライド部１４の中央には、ストッパ１５が嵌り合う中央穴１６が形成され、その内端がストッパ１５に当接することにより、翼片１２の外方への移動が制限される。中央穴１６の上下方向の大きさは、ストッパ１５が嵌るだけの大きさとされ、左右方向の大きさは、ストッパ１５よりも大きくされてスライド部１４が左右にスライド自在とされる。
【００１９】
圧接片１７は、スライド部１４の側端に形成され、トレイ１の規制片８と底面９との間に挟圧保持される。圧接片１７の外面には、トレイ１の側壁７の突条１０に係合する係合凹部１８が形成されて、仕切部材３の上下方向の移動を規制する。
【００２０】
弾性体１３は、翼片１２の中央穴１６の外端から内方に向かって突出する上下二個の略横Ｓ字形ばね材とされ、合成樹脂により翼片１２と一体形成される。弾性体１３の先端は、ストッパ１５の外面側に当接し、翼片１２を仕切部材本体１１の外方に付勢している。
【００２１】
仕切部材本体１１の底面には、ゴムやウレタン樹脂発泡体等からなる滑り止め１９が設けられ、トレイ１の底面９との摩擦により、仕切部材本体１１の前後方向のスライドを規制するようになっている。この滑り止め１９は、その弾性により仕切部材３を上方に付勢して翼片１２を規制片８に押し付け、仕切部材３をより強固に挟圧固定するようになっている。
【００２２】
トレイ１に仕切部材３を装着する手順としては、まず、翼片１２を手で押さえ、圧接片１７の内面が仕切部材本体１１の端面に当接するまで、弾性体１３の付勢力に抗して翼片１２を仕切部材本体１１に押し込む。次いで、仕切部材３を収納部２の前後方向に所望の位置に配置し、滑り止め１９の付勢力に抗して、仕切部材３をトレイ１の底面９に押し付ける。
【００２３】
翼片１２から手を離すと、弾性体１３の付勢力により翼片１２が外方に移動し、その圧接片１７がトレイ１の側壁７の内面に圧接されて、仕切部材３が左右方向に挟圧され、側壁７の突条１０に圧接片１７の係合凹部１８が係合する。圧接片１７がトレイ１の規制片８の下方に位置し、仕切部材３から手を離すことにより、仕切部材３が規制片８と底面９との間に挟圧保持される。仕切部材３は、左右方向だけでなく上下方向にも挟圧されるので、トレイ１の上面の開口を拡げることなく、強固に挟圧固定される。
【００２４】
トレイ１から仕切部材３を取り外すときには、仕切部材３をトレイ１の底面９に押し付けながら、翼片１２を仕切部材本体１１に押し込むようにして取り外せばよい。
【００２５】
【発明の効果】
以上の説明から明らかな通り、本発明の仕切部材位置決め機構では、仕切部材を上下方向及び左右方向に挟圧保持するため、仕切部材を長さ方向の任意の位置に位置決め固定でき、仕切部材の微妙な位置調節を可能にすることができる。また、仕切部材を位置決め固定するためのリブや穴を形成しないので、トレイの側壁の内面のうち、仕切部材を位置決め固定しない部分をすっきりさせて、トレイの収納部の見栄えを良くすることができる。
【図面の簡単な説明】
【図１】仕切部材を固定したトレイの斜視図
【図２】仕切部材の前面図
【符号の説明】
１　　　トレイ
３　　　仕切部材
７　　　側壁
８　　　規制片
９　　　底面
１０　　突条
１１　　仕切部材本体
１２　　翼片
１３　　弾性体
１８　　係合凹部
１９　　滑り止め
【図１】
2004089255.tif 000003
【図２】
2004089255.tif 000004